(57)【要約】【課題】あらゆる建物のトイレルームへの設置に適し、トイレスペースの空間を有効に活用でき、かつ便器の清掃性に優れた壁掛け式昇降便器を提供する。【解決手段】便器２０と、便器２０に一端が連結された便器取付け部材２１と、便器取付け部材２１が取付けられると共にトイレルームの床面Ｆに設置可能となった昇降装置３０を備え、昇降装置３０をトイレルームの床面Ｆに設置した状態で昇降装置３０を介して便器取付け部材２１及び便器２０をトイレルームの床面Ｆに対して一体に昇降させる壁掛け式昇降便器１において、便器２０の清掃に際して便器２０が床面に接した状態から床面Ｆから離れた状態に上昇し、便器２０の清掃終了後に便器２０が床面Ｆに下降することで接地すると共に、ダンパー３４が便器２０の下降速度を抑制するようになっている。【選択図】図１
2008019593.tif 000002
【特許請求の範囲】
【請求項１】
便器と、
前記便器に一端が連結された便器取付け部材と、
前記便器取付け部材が取付けられると共にトイレルームの床面に設置可能となった昇降装置を備え、
前記昇降装置をトイレルームの床面に設置した状態で当該昇降装置を介して前記便器取付け部材及び便器をトイレルームの床面に対して一体に昇降させる壁掛け式昇降便器において、
前記便器の清掃に際して当該便器が床面に接した状態から床面から離れた状態に上昇し、前記便器の清掃終了後に当該便器が下降することで床面に接地すると共に、
前記昇降装置がダンパーを備え、当該ダンパーが前記便器の下降速度を抑制することを特徴とする壁掛け式昇降便器。
【請求項２】
前記便器の所定の高さは、床面から前記便器の底面までの距離が１０ｍｍ〜１５０ｍｍの範囲内で規定されることを特徴とする、請求項１に記載の壁掛け式昇降便器。
【請求項３】
前記便器取付け部材の少なくとも一部と前記昇降装置を収納したキャビネットを備えた請求項１又は請求項２に記載の壁掛け式昇降便器において、
前記キャビネットの前記便器側に化粧板を配設し、
前記便器の昇降時に当該便器側から見て前記キャビネットに開口部を生じさせることなく当該便器が昇降するようになったことを特徴とする壁掛け式昇降便器。
【発明の詳細な説明】
【技術分野】
【０００１】
本発明は、あらゆる建物のトイレルームに設置するのに適した壁掛け式昇降便器に関する。
【背景技術】
【０００２】
従来からオフィスビルや学校、病院などに設置されるトイレには、不特定多数の人が利用する関係上、特に汚れ易い便器の底部の清掃性を高めるために壁掛け式便器が設置されることがある。このようなオフィスビルや学校、病院は、建物の躯体がコンクリートでできているため、壁掛け式昇降便器をトイレルームの側壁に頑丈な構造でしっかりと取り付けることができる。
【０００３】
一方、一般的な住居用の住宅（以下、単に「住宅」とする）においても、近年、例えば昇降式便器や壁掛け式昇降便器などの様々な態様の便器が使用され始めている（例えば、特許文献１及び特許文献２参照）。
【０００４】
住宅のトイレルームにこのような便器が設置される理由として、家屋の限られたトイレルームの空間では一つの便器を家族が共用しなければならず、成人の男性が小用を足す際に便器やトイレルームに小便が飛沫し、便器やトイレルームを汚してしまうことがあるので、このような汚れとそれに伴う清掃作業を最小限にするため昇降式便器や壁掛け式便器を用いることがあげられる。
【特許文献１】特開２００１−８１８４８号公報（２頁、図１）
【特許文献２】特開平１−２３５７３９号公報（２−３頁、図１）
【発明の開示】
【発明が解決しようとする課題】
【０００５】
しかしながら、このような建物において上述したような特許文献１に記載の昇降便器や特許文献２に記載の壁掛け式昇降便器を用いた場合、以下のような不都合が生じると考えられる。
【０００６】
特許文献１に記載の昇降式便器は、便器の底にジャッキやボールスクリューからなる昇降装置を備え、昇降装置を床面に固定させてこの昇降装置を介して便器を昇降させる仕組みになっている。昇降式便器がこのような構造を有すると、成人の男性の小用時における便器の使い勝手と清潔性は向上するが、例えば小さい子供がこの昇降式便器を使用した場合、子供の小用時に小便が誤って飛散し、便器の底部を伝わってこれに固定された昇降装置を汚してしまい、便器及びこの下部に備わった昇降装置の清掃が大変となる。
【０００７】
一方、特許文献２に記載の壁掛け式昇降便器は便器と床面との間に常にある程度の空間を確保するようにしつつ、キャビネット内に備わった昇降装置を介して便器を昇降させている。このように便器の底部が床面から常に離れて浮いた状態にあると、便器底部の清掃性の点では優れているが、例えば使用者が成人の場合、便器に座った際に使用者の体重により便器と昇降装置との連結部（便器取り付け部）に過大なモーメントが生じてしまう。
【０００８】
このような過大なモーメントに便器取り付け部と昇降装置が耐えるように、便器取付け部と昇降装置をきわめて頑丈に構成する必要がある。しかしながら、そのような便器取付け部と昇降装置を頑丈にした昇降式便器を建物内の限られたトイレスペースに設置すると、ただでさえ広さの限られたトイレスペースの空間を更に狭くしてしまう。
【０００９】
また、このような便器取付け部と昇降装置を極めて丈夫にした昇降式便器を取り付ける建物の躯体はしっかりしたものでければならない。例えば建物が木造住宅であってこの場合の木造住宅を一戸建てやアパートのみならずトイレルームが木材でできたマンションのような住宅を全て含むものと考えた場合、かかる昇降式便器を例えば建物の躯体が木材でできた新しい建物に予め設置したり、中古の建物に後付け設置したりするのは構造上及び躯体の強度上難しい。
【００１０】
これに加えて、上述した特許文献１に記載の昇降式便器は、同文献１の段落番号（０００６）から（００１０）に記載のように使用者がジャッキを介してその都度便器の昇降の高さを調整しなければならず、便器の使用時や清掃時に便器の高さが一義的に決まっているわけではない。
【００１１】
また、特許文献２の壁掛け式昇降便器は、同文献２の３頁左上欄１８行目から右上欄１行目に記載のように使用者が操作スイッチを用いてその都度便器を昇降させており、便器の使用時や清掃時に便器の高さが一義的に決まっているわけではない。
【００１２】
そのため、両者とも例えば便器の清掃時にその都度便器の高さを確認しながら便器を上限位置まで上昇させなくてはならず、清掃時の使い勝手が悪くなってしまう。
【００１３】
本発明の目的は、あらゆる建物のトイレルームへの設置に適し、トイレスペースの空間を有効に活用でき、かつ便器の清掃性に優れた壁掛け式昇降便器を提供することにある。
【課題を解決するための手段】
【００１４】
上述した課題を解決するために、本発明にかかる壁掛け式昇降便器は、
便器と、
前記便器に一端が連結された便器取付け部材と、
前記便器取付け部材が取付けられると共にトイレルームの床面に設置可能となった昇降装置を備え、
前記昇降装置をトイレルームの床面に設置した状態で当該昇降装置を介して前記便器取付け部材及び便器をトイレルームの床面に対して一体に昇降させる壁掛け式昇降便器において、
前記便器の清掃に際して当該便器が床面に接した状態から床面から離れた状態に上昇し、前記便器の清掃終了後に当該便器が下降することで床面に接地すると共に、
前記昇降装置がダンパーを備え、当該ダンパーが前記便器の下降速度を抑制することを特徴としている。
【００１５】
便器の清掃時に便器を床面から離れた状態に上昇させることで便器の底部が常に床面から離れるので、特に汚れが付着し易い便器の底部を清掃し易い。即ち、清掃時にのみ便器の底部を床から浮かすことができるので、便器の底部をしっかりと清掃できる。
【００１６】
また、便器の底部に昇降装置を備えた従来の昇降式便器のように、汚れが便器の底部に沿って垂れ落ちて昇降装置自体を汚す虞もない。
【００１７】
また、使用者が便器に着座する際は常に便器の底部が床面に接地して使用者の全体重を便器の底部を介して床面で受けるので、昇降装置や便器取り付け部材に使用者の体重による過大なモーメントが生じることがない。その結果、昇降装置や便器取り付け部材の強度をさほど必要とすることなく、これらの構造の簡略化と全体の大きさの小型化を図ることができる。そのため、あらゆる建物のトイレルームに簡単に設置することが可能となる。特に、躯体が木材でできた木造住宅のトイレルームに昇降式便器を設置する場合、従来技術で説明した構造の頑丈な昇降式便器では躯体としての木材が強度上耐えることができず、従来技術では設置が難しかったが、本発明による壁掛け式昇降便器によると躯体が木材でできた木造住宅であってトイレルームに前もって又は後付けで簡単に設置することができると共に、木造住宅の限られた広さのトイレルームに設置してもトイレルームの残りの空間を広く確保できる。また、ダンパーを介して便器が下降することで便器が床面に接地したときに音が発生するのを防止する。
【００１８】
なお、ここで言う木造住宅とは、いわゆる一戸建てやアパートのような木造住宅に限定されず、鉄筋のマンション等であってもトイレルーム内が木材でできた住宅も含んでいる。
【００１９】
また、本発明の請求項２に記載の壁掛け式昇降便器は、請求項１に記載の壁掛け式昇降便器において、
前記便器の所定の高さは、床面から前記便器の底面までの距離が１０ｍｍ〜１５０ｍｍの範囲内で規定されることを特徴としている。
【００２０】
便器の所定の高さの下限値を床面から便器の底面までの距離１０ｍｍで規定することで、清掃時にこの隙間に例えば清掃者の手やモップなどの清掃用具を入れることができ、清掃作業を確実に行うことが可能となる。
【００２１】
また、便器の所定の高さの上限値を床面から便器の底面までの距離１５０ｍｍで規定することで、昇降便器に必要とされる特別な構造の排水装置や排水用蛇腹管などを過度に複雑化させることなく、かつ排水用蛇腹管の過度の伸びを防止することができる。
【００２２】
また、本発明の請求項３に記載の壁掛け式昇降便器は、
前記便器取付け部材の少なくとも一部と前記昇降装置を収納したキャビネットを備えた請求項１又は請求項２に記載の壁掛け式昇降便器において、
前記キャビネットの前記便器側に化粧板を配設し、
前記便器の昇降時に当該便器側から見て前記キャビネットに開口部を生じさせることなく当該便器が昇降するようになったことを特徴としている。
【００２３】
キャビネットにこのような化粧板を設けることで、便器の昇降状態の如何に関わらず、便器側から見てキャビネットに開口部を形成させずに済む。これによって、キャビネットの見栄えを向上させると共に、開口部からキャビネット内にゴミや埃が溜まるのを防止することができる。
【発明の効果】
【００２４】
本発明によると、あらゆる建物のトイレルームへの設置に適し、トイレスペースの空間を有効に活用でき、かつ便器の清掃性に優れた壁掛け式昇降便器を提供することができる。
【００２５】
より具体的には、便器の清掃時に便器を床面から離れた状態に上昇させることで便器の底部が常に床面から離れるので、特に汚れが付着し易い便器の底部を清掃し易い。即ち、清掃時にのみ便器の底部を床から浮かすことができるので、便器の底部をしっかりと清掃できる。
【００２６】
また、便器の底部に昇降装置を備えた従来の昇降式便器のように、汚れが便器の底部に沿って垂れ落ちて昇降装置自体を汚す虞もない。
【００２７】
また、使用者が便器に着座する際は常に便器の底部が床面に接地して使用者の全体重を便器の底部を介して床面で受けるので、昇降装置や便器取り付け部材に使用者の体重による過大なモーメントが生じることがない。その結果、昇降装置や便器取り付け部材の強度をさほど必要とすることなく、これらの構造の簡略化と全体の大きさの小型化を図ることができる。そのため、あらゆる建物のトイレルームに簡単に設置することが可能となる。特に、躯体が木材でできた木造住宅のトイレルームに昇降式便器を設置する場合、従来技術で説明した構造の頑丈な昇降式便器では躯体としての木材が強度上耐えることができず、従来技術では設置が難しかったが、本発明による壁掛け式昇降便器によると躯体が木材でできた木造住宅であってトイレルームに前もって又は後付けで簡単に設置することができると共に、木造住宅の限られた広さのトイレルームに設置してもトイレルームの残りの空間を広く確保できる。また、ダンパーを介して便器が下降することで便器が床面に接地したときに音が発生するのを防止する。
【発明を実施するための最良の形態】
【００２８】
以下、本発明の一実施形態にかかる壁掛け式昇降便器について図面に基づいて説明する。
【００２９】
本発明の一実施形態にかかる壁掛け式昇降便器１は、あらゆる建物のトイレルームに簡単に後付け設置したりできる壁掛け式昇降便器で、図１に示すように、トイレルームの床面Ｆに設置するキャビネット１０と、キャビネット１０の前板１３に沿って上下に昇降可能な便器２０を備えている。なお、便器２０は例えば陶器でできており、キャビネット１０は例えば樹脂又は木材でできている。
【００３０】
便器２０にはその背面に例えば金属でできた便器取付け部材２１の一端が取り付けられ、便器取付け部材２１の他端はキャビネット内部に延在している。
【００３１】
キャビネット内には、便器２０から延在した便器取付け部材２１の他に昇降装置３０が備わっている。この昇降装置３０は、底部に設けられたベース板３１と、ベース板３１から上方向に突出して取り付けられた昇降部３２を備え、昇降部３２は便器２０を上昇させたり下降させたりする油圧アクチュエータ３３と、便器２０の下降時にこれをゆっくり下降させるダンパー３４を備えている。そして、昇降部３２の上端部が便器取付け部材２１に固定され、油圧アクチュエータ３３及びダンパー３４を介して便器２０が昇降するようになっている。
【００３２】
なお、ベース板３１はここでは図示しないボルトなどの締結具を介してその四隅がトイレルームの床面Ｆに簡単に固定可能となっている。また、他の態様として、ここでは図示しないが、ベース板３１を床面Ｆと壁面Ｗの両方に固定することも可能である。このような構造をとることにより、昇降式壁掛け便器の躯体強度を向上させることができる。
【００３３】
また、ダンパー３４には油圧ダンパー、水圧ダンパー、空気圧ダンパーなどのダンパーが用いられている。
【００３４】
また、トイレルームの側壁面には便器操作用リモコン２５が備わっている。便器操作用リモコン２５は、便器２０が例えば局所洗浄便座の場合に所定の機能を選択する操作ボタンと表示部を備えると共に、便器２０を上昇させる便器上昇スイッチ２５ｕや便器２０を下降させる便器下降スイッチ２５ｄを備えている。なお、リモコン２５は、取り外し可能となっており、上述のような設置場所には限定されない。更には、リモコン２５は、トイレルームの側壁面を含む壁面Ｗや、図４に示すように便器２０に埋設して設置されることも可能である。
【００３５】
また、便器２０には、ここでは図示しない蛇腹管又はたけのこ状のテレスコープタイプの伸縮自在な排水管が備わっており、便器２０と床下の排水管（図示せず）とを連結している。
【００３６】
なお、蛇腹管又はテレスコープタイプの伸縮自在な排水管を用いることで、便器２０の昇降位置に関わらず、常に良好な排水性能をこの壁掛け式昇降便器１が発揮するようになっている。
【００３７】
そして、本実施形態の場合、便器２０は、清掃時以外は、便器２０の底部２０ａが床面Ｆに常に接地しているようになっている。
【００３８】
キャビネット１０は、天板１１と、二枚の側板１２と、便器側の前板１３から構成されており、昇降装置３０や便器取付け部材２１を内部に収容し、これらが外部から見えないようにして壁掛け式昇降便器１の見栄えを向上させると共に、キャビネット内に外部からゴミや粉塵が極力侵入しないようになっている。
【００３９】
なお、前板１３には、ここでは図示しないが、便器取付け部材２１が便器２０と共に昇降するのを妨げないように適当な長さのスリットを形成して、便器取付け部材２１がこのスリットを通してキャビネット内に延在するようになっている。
【００４０】
そして、便器２０は使用者が着座すると、着座した使用者（以下、この場合を「着座者」とする）の全体重を便器２０を介して床面Ｆで受けるようになっている。
【００４１】
一方、便器２０の清掃時には、便器２０の側面に設けられた便器操作用リモコン２５の便器上昇スイッチ２５ｕを押すことで、昇降装置３０の油圧アクチュエータ３３によって便器２０の底部２０ａと床面Ｆとの隙間Ｈが１００ｍｍ程度になる上限位置の高さまで便器２０が上昇するようになっている。
【００４２】
なお、便器２０はダンパー３４を介してゆっくりと上昇するので、便器２０が清掃者に急にぶつかったり、清掃者を驚かせたりすることはない。
【００４３】
また、便器２０の上限位置をこの程度の高さにすることで、便器２０に接続された蛇腹管やテレスコープタイプの排水管の構造を簡略化できると共に、便器２０の上限位置において蛇腹管や排水管が伸び過ぎるのを防止する。
【００４４】
また、便器２０の清掃が終わると、便器操作用リモコン２５の便器下降スイッチ２５ｄを押すことで、昇降装置３０の油圧アクチュエータ３３とダンパー３４が協働して便器２０がゆっくりと下降し、やがて便器２０の底部２０ａが床面Ｆに接地するようになっている。
【００４５】
続いて、上述した構成を有する壁掛け式昇降便器１の作用について、図１乃至図３に基いて説明する。図１は、使用者が便器２０を清掃する前の状態を示し、便器２０の底部２０aがトイレルームの床面Ｆに接地している。この状態でいつでも使用者が便器２０に着座して用を足すことができる。
【００４６】
なお、着座者が便器２０を使用している間は、便器２０の底部２０ａが床面Ｆに接地して着座者の体重と便器２０の重量を床面Ｆで全て受けることができるので、便器取付け部材２１と昇降装置３０に過大なモーメントが発生することはない。
【００４７】
従って、便器取付け部材２１や昇降装置３０の構造を小型化、かつ単純化でき、どのような建物のトイレルームにも簡単に設置することができると共に、限られたスペースのトイレルームに設置しても残りのスペースを十分広く取ることができる。
【００４８】
また、この壁掛け式昇降便器１を特に新築の木造住宅のトイレルームに予め設置する場合や中古の木造住宅のトイレルームをリフォームして設置する場合、躯体が木材でできて強度的に十分なものでなくても簡単に設置することができると共に長期間にわたって使用し続けることができる。なお、この場合の木造住宅とは、いわゆる一戸建てやアパートのような木造住宅に限定されず、鉄筋のマンション等であってもトイレルーム内が木材でできた住宅も含む。
【００４９】
そして、便器２０を清掃者が清掃するために便器操作用リモコン２５の便器上昇スイッチ２５ｕを押すと、便器２０は油圧アクチュエータ３３を介して上昇し、やがては本実施形態の場合、図２に示すように、便器２０の底部２０aとトイレルームの床面Ｆとが常に約１００ｍｍ程度の隙間Ｈを生じる上限位置で便器２０が停止する。そして、この隙間Ｈに清掃者の手やモップ等の清掃用具を入れることで特に汚れ易い便器２０の底部２０ａやこれに対応する床面Ｆを簡単に清掃することができる。
【００５０】
清掃者による清掃作業が終了すると、便器操作用リモコン２５の便器下降スイッチ２５ｄを押すことで、便器２０は油圧アクチュエータ３３及びダンパー３４を介して下降し、やがて便器２０の底部２０ａがトイレルームの床面Ｆに接地する。
【００５１】
この際、ダンパー３４の機能により、便器２０の底部２０ａがトイレルームの床面Ｆにゆっくりと接地するので、例えば陶器でできた便器２０の底部２０ａを破損させずに済む。
【００５２】
また、床面Ｆがタイル張りのようなトイレルームにおいては、便器２０の底部２０ａが床面Ｆにゆっくりと接地することでタイルの破損を防止することができる。
【００５３】
なお、昇降装置３０のベース板３１は、上述したようにボルトでトイレルームの床面Ｆに設置される代わりに、ブラケットを介して床面Ｆに設置されても良い。
【００５４】
また、キャビネット１０は、その背面が必ずしもトイレルームの壁面Ｗに当接している必要はなく、これらの間に隙間があっても良く、又はトイレルームの壁面Ｗにキャビネット１０の外形に対応する開口部を設け、キャビネット１０の一部又は全部がトイレルームの壁面Ｗに入り込むようにしても良い。
【００５５】
また、便器２０を昇降させる油圧アクチュエータ３３の代わりに空気アクチュエータ、水圧アクチュエータ、若しくはモータとボールねじとの組み合わせからなるアクチュエータを用いても良い。
【００５６】
また、便器２０の清掃時における上限位置は壁掛け式昇降便器１をトイレルームの床面Ｆに設置した状態で便器２０の底部２０ａと床面Ｆとの隔間Ｈが１０ｍｍ〜１５０ｍｍ程度となっているのが良い。
【００５７】
便器２０の上昇位置の下限値を隔間Ｈが１０ｍｍ程度と規定することで、便器２０の底部２０ａと床面Ｆとの間に清掃者の手やモップ等の清掃用具を入れて便器２０の底部２０ａとこの真下の床面Ｆをしっかりと清掃することができる。
【００５８】
なお、厚さの薄いモップを用いて清掃することもあるので、この場合の下限値を規定している隔間Ｈの１０ｍｍとは厳密な意味での１０ｍｍに限定されるものではなく、これより若干小さい値であっても良いことは言うまでもない。
【００５９】
また、便器２０の上限位置の上限値を隔間Ｈが１５０ｍｍ程度と規定することで、排水装置や、いわゆるテレスコープタイプの排水管、蛇腹管などの構造の簡略化を図り、壁掛け式昇降便器１の構造の単純化及び小型化を図ることができる。従って、例えば特開平１０−１９５９６２号公報に示すような複雑な構造の排水装置や蛇腹管を設ける必要もない。
【００６０】
これによって、テレスコープタイプの排水管や蛇腹管の過度の伸びを防止し、このような伸縮部分の破損を防止できる。
【００６１】
また、便器２０の底部２０ａ又はこの部分が接する床面Ｆとの少なくとも何れか一方にゴム等でできたクッション材を取り付けても良い。
【００６２】
これによって、便器２０が下降して床面Ｆに接地する際の衝撃から便器２０の底部２０ａや床面Ｆをよりしっかり保護することができる。
【００６３】
また、リモコン２５は、好ましくはトイレルームの側壁面に設置されているのが良い。また、リモコン２５は取り外し可能であるのが良い。しかしながら、リモコン２５の設置場所はトイレルームの側壁面に限定されず、便器等２０又はキャビネット１０の天板１１に設けられていても良い。更には、リモコン２５がトイレルームの壁面や便器に埋設して設置されることも可能である。
【００６４】
続いて、本発明にかかる上述の実施形態の変形例について説明する。なお、上述の実施形態と同等の構成については、対応する符号を付して詳細な説明を省略する。
【００６５】
この変形例にかかる壁掛け式昇降便器２は、図６に示すようにキャビネット１００に特別な構成を有している。
【００６６】
キャビネット１００は、天板１１０と二枚の側板１２０と、便器２０の背面に備わった化粧板１３０と、化粧板１３０の下部に一部接して備わった下板１４０を有し、上述の実施形態と同様に、便器２０を昇降させる昇降装置３０と、便器２０と昇降装置３０を連結する便器取付け部材２１を内部に収容している。
【００６７】
天板１１０は、便器側端部の下方に垂下して垂下部１１１を形成しており、図６に示すように便器２０が下降して床面Ｆに接地した状態においても、便器側から見て便器上限位置で化粧板１３０と一部重なり合い、天板１１０の垂下部１１１と化粧板１３０の上部１３１との間に開口部が生じないようになっている。
【００６８】
また、下板１４０は、側面視でＬ字型を有し、その後端部１４１が昇降装置３０のベース板３１と接し、立ち上がり部をなす前面１４２が便器２０の上限位置においても化粧板１３０の下部１３２の一部と重なり合い、便器側から見て化粧板１３０と下板１４０との間に開口部が生じないようになっている。
【００６９】
また、天板１１０の垂下部１１１と化粧板１３０の上部１３１との間には厚さ方向に僅かな隙間が形成され、かつ下板１４０の前面１４２と化粧板１３０の下部１３２とは摺動可動となっており、便器２０の昇降に関して抵抗を与えないようになっている。
【００７０】
なお、便器２０や便器取付け部材２１、リモコン２５、昇降装置３０の構成は上述の実施形態と同等の材質ででき、同等の構成を有している。
【００７１】
そして、この変形例にかかる壁掛け式昇降便器２は、上述した実施形態と同等の作用を有している。即ち、壁掛け式昇降便器２の清掃前には、図６に示すよう、便器２０の底部２０ａが床面Ｆに接地している。そして、この状態で使用者が便器２０に着座して用を足す。便器使用中においては、使用者の全体重を便器２０を介して床面Ｆで受けるので、昇降装置３０や便器取り付け部材２１の構造を小型化及び簡略化できる。その結果、壁掛け式昇降便器２の小型化を図ることができ、躯体が木材でできた新築木造住宅のトイレルームに予め簡単に設置したり、中古の木造住宅のトイレルームに簡単に後付け設置したりできる。
【００７２】
そして、清掃者が清掃しようとするときは、側壁面に設置されたリモコン２５の便器上昇ボタン２５ｕを押して便器２０を上昇させる。これによって、図６に示すように便器２０が油圧アクチュエータ３３及びダンパー３４を介してゆっくり上昇し、便器２０の底部２０ａと床面Ｆとの隔間Ｈが１００ｍｍ程度あく上限位置で停止する。これによって、便器２０の底部２０ａと床面Ｆとの隙間Ｈに清掃者の手やモップ等の清掃用具を入れて便器２０の底部２０ａやこの直下の底面Ｆを清掃し易くしている。
【００７３】
また、この変形例にかかる壁掛け式昇降便器２は、キャビネット１００が上述のような構成を有していることによって、上述した実施形態の作用に加えて以下の作用を有している。
【００７４】
便器２０の底部２０ａが床面Ｆに接地しているときは、図６に示すように、着座者と共に下降している最中も化粧板１３０の上部１３１と天板１１０の垂下部１１１は重なり合い、かつ化粧板１３０の下部１３２と下板１４０の前面１４２は重なり合っているので、キャビネット１００と化粧板１３０との間に開口部が生じることはない。
【００７５】
また、清掃時において便器２０が上限位置まで上昇している場合も、図６に示すように、便器側から見て化粧板１３０の上部１３１と天板１１０の垂下部１１１が重なり合うと共に、化粧板１３０の下部１３２と下板１４０の前面１４２が重なり合っているので、便器側から見てキャビネット１００と化粧板１３０との間に開口部が生じることはない。
【００７６】
そのため、壁掛け式昇降便器２の使用状態の如何に関わらず、キャビネット１００と化粧板１３０との間に開口部を生じさせることはない。これによって、壁掛け式昇降便器２の見栄えを良くすると共に、このような開口部を介してゴミや埃がキャビネット内に入り込んで昇降装置３０の機能を害したり、キャビネット１００を分解してキャビネット内部を清掃するなどの余分な清掃作業を行ったりする必要はない。
【００７７】
なお、本発明における壁掛け式の昇降便器の「壁掛け式」の用語は、厳密な意味でのトイレルームの壁面のみを指すのでなく、本実施形態のキャビネットに備わった立て板としての化粧板をその壁の意味合いに含むことは言うまでもない。
【００７８】
以上説明したように、本発明にかかる壁掛け式昇降便器は、便器の清掃時に便器を床から離れた状態に上昇させることで便器の底部が常に床面から離れるので、特に汚れが付着し易い便器の底部を清掃し易い。即ち、清掃時にのみ、便器の底部を床から浮かすことができるので、便器の底部をしっかりと清掃できる。
【００７９】
また、便器の底部に昇降装置を備えた従来の昇降式便器のように、汚れが便器の底部に沿って垂れ落ちて昇降装置自体を汚す虞もない。
【００８０】
また、使用者が便器に着座する際は常に便器の底部が床面に接地して使用者の全体重を便器の底部を介して床面で受けるので、昇降装置や便器取り付け部材に使用者の体重による過大なモーメントが生じることがない。その結果、昇降装置や便器取り付け部材の強度をさほど必要とすることなく、これらの構造の簡略化と全体の大きさの小型化を図ることができる。そのため、この壁掛け式昇降便器を躯体が木材でできた木造住宅のトイレルームに前もって又は後付けで簡単に設置することができると共に、木造住宅の限られた広さのトイレルームに設置してもトイレルームの残りの空間を広く確保できる。
【００８１】
また、便器の所定の高さの下限値を床面から便器の底面までの距離１０ｍｍで規定することで、清掃時にこの隙間に例えば清掃者の手やモップなどの清掃用具を入れることができ、清掃作業を確実に行うことが可能となる。
【００８２】
また、便器の所定の高さの上限値を床面から便器の底面までの距離１５０ｍｍで規定することで、昇降便器に必要とされる特別な構造の排水装置や排水用蛇腹管などを過度に複雑化させることなく、かつ排水用蛇腹管の過度の伸びを防止することができる。
【００８３】
また、キャビネットにこのような化粧板を設けることで、便器の昇降状態の如何に関わらず、便器側から見てキャビネットに開口部を形成させずに済む。これによって、キャビネットの見栄えを向上させると共に、開口部からキャビネット内にゴミや埃が溜まるのを防止することができる。
【図面の簡単な説明】
【００８４】
【図１】本発明の一実施形態にかかる壁掛け式昇降便器の清掃前の状態をキャビネットの一部をハッチングを除く断面で示す側面図である。
【図２】図１に示した壁掛け式昇降便器を上昇させて清掃可能とした状態を示す側面図である。
【図３】図２に示した壁掛け式昇降便器の清掃が終わって再び便器を下降させた状態を示す側面図である。
【図４】本発明の一実施形態にかかる壁掛け式昇降便器のリモコンの設置場所を変えた変形例を示す図１に対応する側面図である。
【図５】本発明の一実施形態の変形例を示す図であり、図１に対応した側面図である。
【図６】本発明の一実施形態の変形例を示す図であり、図２に対応した側面図である。
【図７】本発明の一実施形態の変形例を示す図であり、図３に対応した側面図である。
【符号の説明】
【００８５】
１，２    壁掛け式昇降便器
１０    キャビネット
１１    天板
１２    側板
１３    前板
２０    便器
２０ａ    底部
２１    便器取付け部材
２５    便器操作用リモコン
２５ｄ    便器下降スイッチ
２５ｕ    便器上昇スイッチ
３０    昇降装置
３１    ベース板
３２    昇降部
３３    油圧アクチュエータ
３４    ダンパー
１００    キャビネット
１１０    天板
１１１    垂下部
１２０    側板
１３０    化粧板
１３１    上部
１３２    下部
１４０    下板
１４１    後端部
１４２    前面
Ｆ    床面
Ｈ    隙間
Ｗ    壁面
【図１】
2008019593.tif 000003
【図２】
2008019593.tif 000004
【図３】
2008019593.tif 000005
【図４】
2008019593.tif 000006
【図５】
2008019593.tif 000007
【図６】
2008019593.tif 000008
【図７】
2008019593.tif 000009